(57)【要約】【課題】コストの上昇を抑制しながら、見栄えの良い手提げバッグ１の製造方法を提供する。【解決手段】一枚の柔軟な矩形状シート１０として、長手方向が袋２の前身頃予定領域１１と底マチ予定領域１３と後身頃予定領域１２との三つの矩形領域に区画されかつ前記各領域に予めそれぞれデザインが施されたものを用意し、この矩形状シート１０を長手方向中央で二つ折りにして、その両側を縫い合わせることにより袋を得る。この袋２を裏返してから、当該袋２において前身頃予定領域１１と底マチ予定領域１３との境界位置２１および後身頃予定領域１２と底マチ予定領域１３との境界位置２２からそれぞれ折り曲げることにより矩形状の底マチ予定領域１３およびその両側から三角形状に突出する部分１４，１５を含む平面を造形する。この突出部分１４，１５を付け根側から内向きに折り畳んで底マチ予定領域１３に重ね合わせて縫い合わせる。【選択図】図２
2013255592.tif 000002
【特許請求の範囲】
【請求項１】
一枚の柔軟な矩形状シートから作られる袋を有する手提げバッグの製造方法であって、
前記矩形状シートとして、長手方向が前記袋の前身頃予定領域と底マチ予定領域と後身頃予定領域との三つの矩形領域に区画されかつ前記各領域に予めそれぞれデザインが施されたものを用意し、この矩形状シートを長手方向中央で二つ折りにして、その両側を縫い合わせることにより袋を得る処理と、
この袋を裏返してから、当該袋において前記前身頃予定領域と前記底マチ予定領域との境界位置および前記後身頃予定領域と前記底マチ予定領域との境界位置からそれぞれ折り曲げることにより前記矩形状の底マチ予定領域およびその両側から三角形状に突出する部分を含む平面を造形する処理と、
前記三角形状の突出部分を付け根側から内向きに折り畳んで前記底マチ予定領域に重ね合わせて縫い合わせる処理とを含む、ことを特徴とする手提げバッグの製造方法。
【請求項２】
請求項１に記載の手提げバッグの製造方法は、
前記突出部分を縫い合わせた前記袋の開口側に、一対の帯状体の各長手方向両端を逆さＵ字形の持ち手とするように縫い合わせる処理をさらに含む、ことを特徴とする手提げバッグの製造方法。
【請求項３】
請求項１または２に記載の手提げバッグの製造方法において、
前記底マチ予定領域に施されるデザインのマチ方向に沿う寸法は、当該底マチ予定領域のマチよりも小さく設定されることにより、前記デザインを施さない領域が確保される、ことを特徴とする手提げバッグの製造方法。
【請求項４】
一枚の柔軟な矩形状シートから作られる袋を有する手提げバッグが、前記請求項１から３のいずれか１つに記載している方法で製造されたものである、ことを特徴とする手提げバッグ。
【発明の詳細な説明】
【技術分野】
【０００１】
本発明は、一枚の柔軟な矩形状シートから作られる袋を有する手提げバッグの製造方法に関する。また、本発明は、前記方法で製造される手提げバッグに関する。
【背景技術】
【０００２】
一般に、例えばスーパーマーケット、コンビニエンスストアなどの販売店で商品を購入する客は、当該購入した商品を例えばビニールフィルム製のレジ袋に入れて、持ち帰るようにしている。
【０００３】
近年では、資源を有効活用するために、前記レジ袋を使用せずに、客が持参する手提げバッグ（エコバッグなどと称される）に前記購入した商品を入れて、持ち帰ることが普及しつつある。
【０００４】
このため、前記した手提げバッグとしては、前記商品の入れやすさ、持ち運びの安定性が要求される関係より、いわゆるトートバッグと称される形態の手提げバッグが広く用いられている。
【０００５】
このトートバッグは、開口が大きく底が平たい立方体（例えば有底の筒形状など）の袋のことである。このトートバッグは、一般に、比較的破れ難くて柔軟な素材（例えばキャンバス生地など）で製作されていて、小さく折り畳んで携帯できるようになっている。
【０００６】
例えば特許文献１には、前記したような立方体形状で折り畳みが可能な買物バッグ（手提げバッグ）を、一枚の長尺なシートで製作することが記載されている。
【０００７】
この特許文献１では、一枚の長尺なシートを長手方向中央で二つ折りにして、その長手方向両側を縫合することにより袋形状とし、これを裏返してから船形の平たい底面を造形し、その両側の三角形状の支持片を内向きに折り畳んで前記平たい底面に縫い合わせてから、表向きに戻すように裏返し、開口部分のとなる二辺に手提げ片を縫い合わせるようにしている。
【先行技術文献】
【特許文献】
【０００８】
【特許文献１】実用新案登録第３１４１４６１号公報
【発明の概要】
【発明が解決しようとする課題】
【０００９】
上記特許文献１に係る従来例では、買物バッグの前身頃、後身頃、底マチなどの領域毎に、デザイン（模様や色など）を施すといったことが一切記載されていない。ここに改良の余地がある。
【００１０】
このような事情に鑑み、本発明は、コストの上昇を抑制しながら、見栄え（意匠性）の良い手提げバッグを製造する方法を提供することを目的としている。また、本発明は、コストの上昇を抑制しながら、見栄えの良い手提げバッグを提供することを目的としている。
【課題を解決するための手段】
【００１１】
本発明は、一枚の柔軟な矩形状シートから作られる袋を有する手提げバッグの製造方法であって、前記矩形状シートとして、長手方向が前記袋の前身頃予定領域と底マチ予定領域と後身頃予定領域との三つの矩形領域に区画されかつ前記各領域に予めそれぞれデザインが施されたものを用意し、この矩形状シートを長手方向中央で二つ折りにして、その両側を縫い合わせることにより袋を得る処理と、この袋を裏返してから、当該袋において前記前身頃予定領域と前記底マチ予定領域との境界位置および前記後身頃予定領域と前記底マチ予定領域との境界位置からそれぞれ折り曲げることにより前記矩形状の底マチ予定領域およびその両側から三角形状に突出する部分を含む平面を造形する処理と、前記三角形状の突出部分を付け根側から内向きに折り畳んで前記底マチ予定領域に重ね合わせて縫い合わせる処理とを含む、ことを特徴としている。
【００１２】
本発明では、矩形状シートとして前身頃予定領域と後身頃予定領域と底マチ予定領域とに予めそれぞれデザインを施したものを用いているから、型紙などを用いることなく、前記デザインを目安にして折り曲げて縫製することが可能になるなど、製造作業を比較的簡易かつ迅速に行うことが可能になる。
【００１３】
しかも、前記一枚の矩形状シートで製作される袋の前身頃と後身頃と底マチとにそれぞれデザインが施されているので、あたかも別々の生地を使用しているかのような印象を使用者などに与えることが可能になるなど、手提げバッグ全体の見栄えが良くなる。
【００１４】
つまり、本発明は、例えば前身頃と後身頃と底マチとを別々のシートとして縫製している手提げバッグの製造方法に比べると、製造コストの上昇を抑制しながら、手提げバッグ全体の見栄えを良くすることが可能になっているのである。
【００１５】
また、本発明の方法で製造される手提げバッグは、その袋を一枚の柔軟な矩形状シートで製作しているから、小さく折り畳むと偏平になるなど、嵩張らずに済む。
【００１６】
好ましくは、前記製造方法は、前記突出部分を縫い合わせた前記袋の開口側に、一対の帯状体の各長手方向両端を逆さＵ字形の持ち手とするように縫い合わせる処理をさらに含む、ことを特徴としている。
【００１７】
この構成では、手提げバッグが袋と持ち手とのツーピース構成であることを特定している。
【００１８】
好ましくは、前記製造方法において、前記底マチ予定領域に施されるデザインのマチ方向に沿う寸法は、当該底マチ予定領域のマチよりも小さく設定されることにより、前記デザインを施さない領域が確保される。
【００１９】
ここでは、前記底マチ予定領域のマチ方向両側に前記デザインを施さない領域（例えば素地領域と言う）を確保している。
【００２０】
これにより、前記底マチ予定領域と前身頃予定領域との境界位置および前記底マチ予定領域と後身頃予定領域との境界位置で折り曲げる際に、その折り目が前記底マチ予定領域寄りにずれたとしても、当該ずれを前記素地領域で吸収することが可能になる。
【００２１】
その他、前記底マチ予定領域にデザインを施す際に、仮にデザインの付加領域が前記底マチ予定領域寄りにずれたとしても、当該ずれを前記素地領域で吸収することが可能になる。
【００２２】
その結果、前記前身頃および前記後身頃に前記底マチのデザインをはみ出させない状態で手提げバッグを製作することが可能になるので、手提げバッグの製造時の縫合作業やデザイン付加作業が比較的容易になるなど、手提げバッグの製造効率を向上するうえで有利になる。
【００２３】
また、本発明に係る手提げバッグは、一枚の柔軟な矩形状シートから作られる袋を有する手提げバッグであって、前記した方法で製造されたものである、ことを特徴としている。
【００２４】
この手提げバッグは、前記しているように一枚の矩形状シートで製作される袋の前身頃と後身頃と底マチとにそれぞれデザインが施されているので、あたかも別々の生地を使用しているかのような印象を使用者などに与えることが可能になるなど、手提げバッグ全体の見栄えが良くなる。
【００２５】
つまり、本発明は、例えば前身頃と後身頃と底マチとを別々のシートとして縫製するような手提げバッグに比べると、製造コストの上昇を抑制しながら、手提げバッグ全体の見栄えを良くすることが可能になっているのである。
【００２６】
また、前記底マチ予定領域のマチ方向両側に前記素地領域を確保している場合には、前記底マチ予定領域と前身頃予定領域との境界位置および前記底マチ予定領域と後身頃予定領域との境界位置で折り曲げる際に、その折り目が前記底マチ予定領域寄りにずれたとしても当該ずれを前記素地領域で吸収することが可能になる。その他、前記底マチ予定領域にデザインを施す際に、仮にデザインの付加領域が前記底マチ予定領域寄りにずれたとしても当該ずれを前記素地領域で吸収することが可能になる。
【００２７】
これにより、前記前身頃および前記後身頃に前記底マチのデザインがはみ出しにくくすることが可能になるので、手提げバッグの製造時の縫合作業やデザイン付加作業が比較的容易になるなど、手提げバッグの製造効率を向上するうえで有利になる。
【００２８】
また、この手提げバッグは、その袋を一枚の柔軟な矩形状シートで製作しているから、小さく折り畳むと偏平になるなど、嵩張らずに済む。
【発明の効果】
【００２９】
本発明は、コストの上昇を抑制しながら、見栄えの良い手提げバッグの製造方法を提供することができる。また、本発明は、コストの上昇を抑制しながら、見栄えの良い手提げバッグを提供することができる。
【図面の簡単な説明】
【００３０】
【図１】本発明に係る手提げバッグの一実施形態で、その全体の外観を示す斜視図である。
【図２】図１の手提げバッグの素材となる矩形状シートを示す平面図である。
【図３】図１の手提げバッグの製造方法の第１段階の処理を示す図である。
【図４】図３の続きとなる第２段階の処理を示す斜視図である。
【図５】図４の続きとなる第３段階の処理を示す斜視図である。
【図６】図５の続きとなる第４段階の処理を示す斜視図である。
【図７】図６の続きとなる第５段階の処理を示す斜視図であり、一部を部分的に断面にして示している。
【図８】図７の続きとなる第６段階の処理を示す正面図である。
【発明を実施するための形態】
【００３１】
以下、本発明を実施するための最良の実施形態について添付図面を参照して詳細に説明する。
【００３２】
図１から図８に、本発明の一実施形態を示している。図中、１は手提げバッグの全体を示している。この手提げバッグ１は、単一の袋２と、一対の持ち手３，３とを含む構成になっている。
【００３３】
袋２は、筒形状とされる前身頃４および後身頃５と、例えば長方形のような矩形状の底マチ６とを備えている。この袋２の素材は、例えばキャンバス生地などの布とすることができるが、比較的柔軟なものであれば特に限定されるものではない。
【００３４】
持ち手３，３は、扁平な紐などの帯状体を袋２の開口にそれぞれ逆さＵ字形となるような状態で縫合されたものである。この持ち手３，３となる帯状体の素材は、前記袋２と同様に、例えばキャンバス生地などの布とすることができるが、比較的柔軟なものであれば特に限定されるものではない。
【００３５】
そして、袋２において、前身頃４および後身頃５は、それぞれ正面から見ると例えば横長の長方形のような矩形状とされ、底マチ６も正面から見ると例えば横長の長方形のような矩形状とされている。但し、底マチ６のマチ（幅寸法）は、前身頃４および後身頃５の高さ寸法よりも小さく設定されている。
【００３６】
なお、前身頃４および後身頃５は、矩形状の底マチ６において二つの長辺から立ち上げられている。持ち手３，３は、前身頃４および後身頃５において袋２の開口側に位置する二つの長辺に取り付けられている。
【００３７】
さらに、袋２において前身頃４と後身頃５と底マチ６とには、それぞれ異なるデザインが施されている。前身頃４のデザインは、アルファベットなどの文字と数字とを組み合わせたようなものになっている。後身頃５のデザインは、多数の横縞を高さ方向所定間隔おきに配置したボーダー柄になっている。
【００３８】
底マチ６のデザインは、汚れが目立たないようにするために、ダークカラー（例えば黒色など）の塗り潰し（図２ではドット模様）になっている。これらのデザインは、例えば印刷されたものとされるが、染色されたものとすることも可能である。なお、前記塗り潰しは、図２においてドット模様で表している。その理由は、図中に中央折り曲げ線（２３）や各符号の引き出し線が指し示す位置などを明確に記載可能とするためである。
【００３９】
次に、図２から図８を参照して、手提げバッグ１の製造方法を詳細に説明する。
【００４０】
この実施形態の手提げバッグ１は、一枚の柔軟な矩形状シート１０を用いて製造するようにしている。
【００４１】
ここで、用意する矩形状シート１０は、例えば図２に示すように、長方形のような矩形状とされ、その長手方向が三つの矩形領域（袋２の前身頃４となる前身頃予定領域１１、底マチ６となる底マチ予定領域１３、後身頃５となる後身頃予定領域１２）に区画されており、これら３つの領域１１〜１３にそれぞれデザインが施されている。つまり、矩形状シート１０において、長手方向一端側の領域が前身頃予定領域１１とされ、長手方向他端側の領域が後身頃予定領域１２とされ、さらに長手方向中間の領域が底マチ予定領域１３とされている。そして、この実施形態では、３つの領域１１〜１３に施されるデザインを、それぞれ異なるものにしている。
【００４２】
まず、第１段階の処理として、図３に示すように、矩形状シート１０をその長手方向中央で二つ折りにして、その両側を一点鎖線１００，１０１に沿って縫い合わせることにより袋２を得る。
【００４３】
第２段階の処理として、図４に示すように、前記第１段階で得た袋２を裏返してから、当該袋２において前身頃予定領域１１と底マチ予定領域１３との境界位置２１および後身頃予定領域１２と底マチ予定領域１３との境界位置２２からそれぞれ折り曲げることにより、平面視ほぼ船底形状の平面（矩形状の底マチ予定領域１３およびその長手方向両側から三角形状に突出する部分１４，１５を含む平面）を造形する。
【００４４】
なお、前身頃予定領域１１と底マチ予定領域１３との境界位置２１は、図２に示すように、中央折り曲げ線２３から前身頃予定領域１１へ所定間隔入り込んだ位置にある。また、後身頃予定領域１２と底マチ予定領域１３との境界位置２２は、図２に示すように、中央折り曲げ線２３から後身頃予定領域１２へ所定間隔入り込んだ位置にある。
【００４５】
第３段階の処理として、図５の矢印で示すように、前記船底形状の平面において三角形状の突出部分１４，１５を付け根側から内向きに例えば１８０度折り畳むことにより底マチ予定領域１３に重ね合わせてから、当該重ね合わせ部分において前記付け根の位置と前記突出部分１４，１５の二つの斜辺の位置とを一点鎖線１０２，１０３，１０４に沿うように縫い合わせる。なお、図５には、片方の突出部分１４のみを折り畳んだ状態として、そこの縫い合わせ予定位置を示している。
【００４６】
この第３段階の処理が終了した時点では、袋２の前身頃４または後身頃５の下側における横方向両端側がテーパ状に取り除かれたようになっているので、前身頃４または後身頃５をそれぞれ正面から見ると、あたかも船底のような形状に見える。
【００４７】
第４段階の処理として、前記突出部分１４，１５を縫合した前記袋２の開口側に、一対の持ち手用帯状体の長手方向両端を縫い合わせることにより、正面視ほぼ逆さＵ字形の持ち手３，３を得る。
【００４８】
詳しくは、図６に示すように、袋２の開口を外側に折り返し、図７に示しているように、前記折り返しにより生ずる断面ほぼ逆さＵ字形の隙間に持ち手３となる帯状体の長手方向両端を挟み込み、図８に示すように、袋２の前記折り返し端縁と折り目とを一点鎖線１０５，１０６で示すように縫うとともに、前記帯状体の長手方向両端の挟み込んだ領域を「×」形状に縫うことにより、持ち手３，３を袋２に頑丈に取り付ける。なお、袋２の開口の折り返しの位置は、図２の一点鎖線１０７，１０８で示している。
【００４９】
最終段階の処理として、前記第４段階で持ち手３，３を取り付けた袋２を表向きに戻すように裏返す。これにより、前記各縫合部分や三角形の突出部分１４，１５を袋２の内側に隠すことができるので、袋２の表側に前記各縫合部分や三角形の突出部分１４，１５が露呈せずに済むなど、見栄えが良くなる。
【００５０】
ところで、この実施形態では、図２に示すように、底マチ予定領域１３に施されるデザインのマチ方向に沿う寸法Ｗ１を、当該底マチ予定領域１３のマチＷ２よりも小さく設定することにより、前記デザインを施さない領域（例えば素地領域と言う）７を確保するようにしている。
【００５１】
このような素地領域７を確保している場合には、前記第２段階の処理において、底マチ予定領域１３と前身頃予定領域１１との境界位置２１および底マチ予定領域１３と後身頃予定領域１２との境界位置２２で折り曲げる際に、その折り目が底マチ予定領域１３寄りにずれたとしても、当該ずれを前記素地領域７で吸収することが可能になる。
【００５２】
その他、底マチ予定領域１３にデザインを施す際に、仮にデザインの付加領域が底マチ予定領域１３寄りにずれたとしても、当該ずれを前記素地領域７で吸収することが可能になる。
【００５３】
その結果、前身頃４および後身頃５に底マチ６のデザインをはみ出させない状態で手提げバッグ１を製作することが可能になるので、手提げバッグ１の製造時の縫合作業やデザイン付加作業が比較的容易になるなど、手提げバッグ１の製造効率を向上するうえで有利になると言える。このことから、前記素地領域７の大きさについては、前記したずれを吸収するために必要となる見込みの寸法に適宜のマージンを加算して設定することが好ましい。
【００５４】
以上説明したように、本発明を適用した実施形態における手提げバッグ１の製造方法によれば、矩形状シート１０として前身頃予定領域１１と後身頃予定領域１２と底マチ予定領域１３とに予めそれぞれデザインを施したものを用いているから、型紙などを用いることなく、前記デザインを目安にして折り曲げて縫製することが可能になるなど、製造作業を比較的簡易かつ迅速に行うことが可能になる。
【００５５】
しかも、前記一枚の矩形状シート１０で製作される袋２の前身頃４と後身頃５と底マチ６とにそれぞれデザインが施されているので、あたかも別々の生地を使用しているかのような印象を使用者などに与えることが可能になるなど、手提げバッグ１全体の見栄え（意匠性）が良くなる。
【００５６】
これにより、本発明は、例えば前身頃４と後身頃５と底マチ６とを別々のシートとして縫製している手提げバッグの製造方法に比べると、製造コストの上昇を抑制しながら、手提げバッグ１全体の見栄えを良くすることが可能になっている。また、本発明は、例えば前身頃４と後身頃５と底マチ６とを別々のシートとして縫製している手提げバッグの製造方法のように大量の裁断くずが発生せずに済む点でも有利となる。
【００５７】
そして、この実施形態で説明した方法で製造される手提げバッグ１は、袋２を一枚の柔軟な矩形状シート１０で製作しているから、小さく折り畳むと偏平になるなど、嵩張らずに済み、携帯しやすくなる。
【００５８】
しかも、一対の持ち手３，３を引き離す方向に引っ張れば、袋２の開口を大きく広げることができるので、比較的大きな品物を出し入れし易くなる他、より多くの品物を収容することが可能になる。
【００５９】
なお、本発明は、上記実施形態のみに限定されるものではなく、特許請求の範囲内および当該範囲と均等の範囲内で適宜に変更することが可能である。
【００６０】
（１）上記実施形態では、袋２の前身頃４および後身頃５と底マチ６とをそれぞれ横長長方形のような形状とした場合を例に挙げているが、本発明はこれに限定されるものではない。図示していないが、例えば袋２の前身頃４および後身頃５と底マチ６とをそれぞれ正方形のような形状とすることが可能である。
【００６１】
（２）上記実施形態では、持ち手３，３として帯状体を逆さＵ字形にして袋２に取り付けた形態を例に挙げているが、本発明はこれに限定されるものではない。図示していないが、例えば袋２の前身頃４および後身頃５の両開口に、その厚み方向に貫通する孔を持ち手として設ける形態とすることが可能である。この場合には、手提げバッグ１が１つのパーツで構成されるものになるから、製造コストを低減するうえで有利になる。
【産業上の利用可能性】
【００６２】
本発明は、一枚の柔軟な矩形状シートから作られる袋の開口に持ち手を設けた構成の手提げバッグを製造する方法、ならびにその方法で製造される手提げバッグに好適に利用することが可能である。
【符号の説明】
【００６３】
１      手提げバッグ
２      袋
３      持ち手
４      前身頃
５      後身頃
６      底マチ
７      素地領域
１０      矩形状シート
１１      前身頃予定領域
１２      後前身頃予定領域
１３      底マチ予定領域
１４，１５      三角形の突出部分
２１，２２      境界位置
２３      中央折り曲げ線
【図１】
2013255592.tif 000003
【図２】
2013255592.tif 000004
【図３】
2013255592.tif 000005
【図４】
2013255592.tif 000006
【図５】
2013255592.tif 000007
【図６】
2013255592.tif 000008
【図７】
2013255592.tif 000009
【図８】
2013255592.tif 000010